(57)【要約】【課題】複数のシリンダにそれぞれ対応する複数のクランク室の内部空間を連通する連通流路を、クランクケースに設けた多気筒内燃機関において、連通流路内に侵入したオイルを排出し、オイルパンに回収する手段を提供する。【解決手段】連通流路の内部にオイルを排出するドレーン孔を設け、このドレーン孔からオイルを排出するドレーン通路を設けた。上記ドレーン通路は、クランクケースに設けられたオイルパン側にオイルを排出するように形成されている。【選択図】          図２
2010174777.tif 000002
【特許請求の範囲】
【請求項１】
複数のシリンダにそれぞれ対応する複数のクランク室の内部空間を連通する連通流路を、クランクケースに設けた多気筒内燃機関において、
連通流路の内部にオイルを排出するドレーン孔を設け、このドレーン孔からドレーン通路を設けてオイルを排出することを特徴とする多気筒内燃機関。
【請求項２】
上記ドレーン通路は、クランクケースに設けられたオイルパン側にオイルを排出するように形成されることを特徴とする請求項１に記載の多気筒内燃機関。
【請求項３】
上記連通流路は、クランク室と連通流路を連通するようクランクケースに設けられた連通孔を取り囲む椀状の蓋部材をクランクケースに固定することによって構成され、この蓋部材の底面をドレーン孔に向かう下り傾斜に形成したことを特徴とする請求項１乃至請求項２に記載の多気筒内燃機関。
【請求項４】
シリンダヘッド及び動弁系を潤滑したオイルの戻し通路を上記連通流路に接続したことを特徴とする請求項３に記載の多気筒内燃機関。
【請求項５】
クランク軸を車幅方向に向けて自動二輪車に搭載される並列エンジンで、ドレーン孔が幅方向外側寄りに配置されることを特徴とする請求項１又は請求項４に記載の多気筒内燃機関。
【請求項６】
オイル戻り通路を経由した戻りオイルが連通流路に入る導入孔を、ドレーン孔に対して車幅方向にずらして、車幅方向内側寄りに配置したことを特徴とする請求項５に記載の多気筒内燃機関。
【発明の詳細な説明】
【技術分野】
【０００１】
本発明は、複数のクランク室間を連通する連通流路を備えた多気筒内燃機関に関するものである。
【背景技術】
【０００２】
従来技術において、隣り合うシリンダ間をクランクケース外部で連通する連通流路をシリンダブロック下部のスカート部に設けたものがある（例えば、特許文献１参照。）。このような技術においては、クランクウェイトが掻き揚げるオイルが連通流路に入った場合に如何に排除するかが課題となる。
【先行技術文献】
【特許文献】
【０００３】
【特許文献１】特開２００６−７０７９５号公報（図１、図３）
【発明の概要】
【発明が解決しようとする課題】
【０００４】
本発明は、複数のクランク室間を連通する連通流路内に侵入したオイルを排出し、オイルパンに回収する手段を提供しようとするものである。
【課題を解決するための手段】
【０００５】
本発明は上記課題を解決したものであって、請求項１に記載の発明は、
複数のシリンダにそれぞれ対応する複数のクランク室の内部空間を連通する連通流路を、クランクケースに設けた多気筒内燃機関において、
連通流路の内部にオイルを排出するドレーン孔を設け、このドレーン孔からドレーン通路を設けてオイルを排出することを特徴とする多気筒内燃機関に関するものである。
【０００６】
請求項２に記載の発明は、請求項１に記載の多気筒内燃機関において、
上記ドレーン通路は、クランクケースに設けられたオイルパン側にオイルを排出するように形成されることを特徴とするものである。
【０００７】
請求項３に記載の発明は、請求項１乃至請求項２に記載の多気筒内燃機関において、
上記連通流路は、クランク室と連通流路を連通するようクランクケースに設けられた連通孔を取り囲む椀状の蓋部材をクランクケースに固定することによって構成され、この蓋部材の底面をドレーン孔に向かう下り傾斜に形成したことを特徴とするものである。
【０００８】
請求項４に記載の発明は、請求項３に記載の多気筒内燃機関において、
シリンダヘッド又は動弁系を潤滑したオイルの戻し通路を上記連通流路に接続したことを特徴とするものである。
【０００９】
請求項５に記載の発明は、請求項１又は請求項４に記載の多気筒内燃機関において、
クランク軸を車幅方向に向けて自動二輪車に搭載される並列エンジンで、ドレーン孔が幅方向外側寄りに配置されることを特徴とするものである。
【００１０】
請求項６に記載の発明は、請求項５に記載の多気筒内燃機関において、
オイル戻り通路につながる戻りオイルが連通流路に入る導入孔を、ドレーン孔に対して車幅方向にずらして、車幅方向内側寄りに配置したことを特徴とするものである。
【発明の効果】
【００１１】
請求項１の発明において、
連通流路の内部にオイルを排出するドレーン孔とドレーン通路が設けてあるので、連通流路に侵入したオイルを排出することができる。
【００１２】
請求項２の発明において、
上記ドレーン通路は、クランクケースに設けられたオイルパン側にオイルを排出するように形成されているので、侵入したオイルをオイルパンに回収することができる。
【００１３】
請求項３の発明において、
上記連通流路は、クランク室と連通流路を連通するようクランクケースに設けられた連通孔を取り囲む椀状の蓋部材をクランクケースに固定して構成され、この蓋部材の底面をドレーン孔に向かう下り傾斜に形成してあるので、蓋部材の内部に飛散したオイルをドレーン孔に集めることができ、回収効率を高めることができる。
【００１４】
請求項４の発明において、
シリンダヘッド及び動弁系を潤滑したオイルの戻し通路を上記連通流路に接続したので、これらのオイルをまとめてオイルパンに回収することができる。
【００１５】
請求項５の発明において、
ドレーン孔が幅方向外側寄りに配置されるので、左右にバンクする自動二輪車において、遠心力によって幅方向外側に溜まりやすいオイルを効率良く回収することができる。
【００１６】
請求項６の発明において、
戻りオイルの導入孔を、ドレーン孔に対して車幅方向にずらして、車幅方向内側寄りに配置したので、内側から導入されたオイルを遠心力によって、外側のドレーン孔に向かって流すので、オイルの滞留を防ぐことができる。
【図面の簡単な説明】
【００１７】
【図１】本発明の一実施形態に係る４筒内燃機関を備えた自動二輪車の側面図である。
【図２】上記内燃機関の縦断面を左方から見た図である。
【図３】上記内燃機関の上部の、吸気弁を通る横断面を後方から見た図である。
【図４】上記内燃機関の外観正面図である。
【図５】上記内燃機関の斜視図である。
【図６】連通流路部の縦断面の拡大図である。
【図７】クランクケースとシリンダブロックの正面図である。
【発明を実施するための形態】
【００１８】
図１は、本発明の一実施形態に係る内燃機関１を備えた自動二輪車２の側面図である。図において、矢印Ｆは前方をさしている。車両前端部にヘッドパイプ３が設けられ、車体フレーム４は上記ヘッドパイプ３から左右に分かれて後下がりに傾斜しつつ後方へ伸びる一対のメインフレーム５を備えている。上記ヘッドパイプ３には、前輪６を支持するフロントフォーク７が操向可能に支持され、フロントフォーク７の上部には操向ハンドル８が連結されている。車体フレーム４には、後輪９を支持するリヤフォーク10が懸架手段を介して上下揺動可能に支承されている。車体フレーム４に搭載されている内燃機関１は、車両進行方向に直交する方向にシリンダが並ぶ４気筒内燃機関１である。上記内燃機関１のクランクケース11は、変速機一体型のクランクケース11であり、クランク軸12、および常時噛合い式変速機のメイン軸13とカウンタ軸14を備えている。この内燃機関１の出力軸は変速機のカウンタ軸14であり、カウンタ軸14の左端のクランクケース11外部に突出した部分に設けられた駆動スプロケット（図示なし）と後輪駆動用チェーン15を介して、動力が後輪９に伝達される。車体フレーム４の上部には燃料タンク16が設けてあり、後部にはタンデムシート17が設けてある。
【００１９】
図２は、上記内燃機関１の縦断面を左方から見た図である。クランクケース11は上下半割り形式のものであり、上部クランクケース11Ａと下部クランクケース11Ｂとから成っている。上部クランクケース11Ａには、４個のシリンダ20を備えたシリンダブロック21が一体的に形成されている。シリンダブロック21の上面には、シリンダヘッド22及びシリンダヘッドカバー23が順に接続されている。上部クランクケース11Ａと下部クランクケース11Ｂとの接合面76に、車幅方向にクランク軸12とカウンタ軸14が保持されている。メイン軸13は上部クランクケース11Ａに車幅方向に保持されている。
【００２０】
クランク軸12のクランクピン24には、コンロッド25を介してピストン26が接続され、シリンダ20の中を摺動する。各ピストン26とシリンダヘッド22の間に燃焼室27が形成されている。シリンダヘッド22には、各燃焼室27に通じる吸気ポート28と排気ポート29が設けてあり、吸気ポート28は一対のその内側開口を介して燃焼室27に連なり、排気ポート29も一対のその内側開口を介して燃焼室27に連なっている。
【００２１】
個々の燃焼室27の中央部には点火プラグ30が設けてある。点火プラグ30の周りには一対の吸気弁31と一対の排気弁32が設けてある。これらの弁は、動弁装置34によって駆動されて、それぞれの吸気ポートの内側開口及び排気ポートの内側開口を開閉する。動弁装置34は、吸気カム軸37、排気カム軸38、吸気カム39、排気カム40、を備え、各弁に備えられた吸気弁リフタ41、排気弁リフタ42を押して、吸気弁31及び排気弁32をクランク軸12の回転位置に応じて所定のタイミングで開閉する。
【００２２】
吸気ポート28の外側開口には吸気系が接続されている。吸気系は、スロットル弁43と燃料噴射装置44とエアクリーナ45（図１）からなる。各排気ポート29にはそれぞれ排気管46が接続され、車体の下部を経由して後方で１本にまとまり、車両後部のマフラー47に接続されている（図１）。シリンダブロック21の前方にラジエータ52が設けてある（図１）。
【００２３】
下部クランクケース11Ｂの下部にはオイルパン48が設けられ、下部クランクケース11Ｂの前部にはオイルフィルタ49が設けてある。下部クランクケース11Ｂの中にはオイルポンプ50、及びメインギャラリ51が設けてある。オイルポンプ50は、オイルパン48に溜まったオイルを吸引して、上記オイルフィルタ49、及びメインギャラリ51等を介して、潤滑箇所へ供給する。
【００２４】
図３は、上記内燃機関１の上部の、吸気カム軸37を通る横断面を後方から見た図である。図において、矢印Ｌ，Ｒは左右を表し、内燃機関１を車両に搭載したときの車両の左右に対応している。図の下部から順に、下部クランクケース11Ｂ、上部クランクケース11Ａ、シリンダブロック21、シリンダヘッド22、シリンダヘッドカバー23が接続されている。シリンダ20は、４個並列に左右方向に並んでいる。
【００２５】
シリンダヘッド22とシリンダヘッドカバー23との間に吸気カム軸37が支持されている。吸気カム軸37は、その右端に吸気カム軸従動スプロケット54が設けられ、カム軸駆動チェーン55を介してクランク軸12によって駆動される。１個のシリンダ20に２個の吸気弁31が設けてあり、各吸気弁31の上部に吸気弁リフタ41が設けてある。吸気カム軸37に設けられた吸気カム39は、吸気弁リフタ41の頂部に当接している。図３には示されていないが、排気カム軸38、排気カム40、排気弁32、排気弁リフタ42、排気カム軸従動スプロケット（図示なし）等も同様に設けてある。
【００２６】
上記内燃機関１の４個のシリンダ20は、左から、第１シリンダＣ１、第２シリンダＣ２、第３シリンダＣ３、第４シリンダＣ４と名付けられる。クランク軸12は、図示のような形状であり、第１シリンダＣ１→第３シリンダＣ３→第４シリンダＣ４→第２シリンダＣ２→第１シリンダＣ１の順に、クランク角度１８０度の等間隔の位相差で爆発行程を迎えるようになっている。
【００２７】
クランク軸12の周囲のクランクケース11内は、対応するシリンダとシリンダの間に、上部クランクケース11Ａ及び下部クランクケース11Ｂの内面から伸びる上部隔壁56Ａと下部隔壁56Ｂが設けられ、両隔壁の接合面に軸受部57が形成され、クランク軸12が回転可能に支持されている。クランク軸12には、コンロッド25を介してピストン26が接続されている。上記上部隔壁56Ａと下部隔壁56Ｂによって、クランクケース11内は、シリンダ毎に区画され、複数のクランク室58となっている。クランク室58は、左から、第１クランク室Ｒ１、第２クランク室Ｒ２、第３クランク室Ｒ３、第４クランク室Ｒ４と名付けられる。各クランク室58はピストン26の下側にあるので、各クランク室58の容積はピストン26の変位に応じて増減する。
【００２８】
図４は上記内燃機関１の外観正面図、図５は同内燃機関１の外観斜視図である。図４、図５は、上記内燃機関１を前方又は前下方から見た図であるので、シリンダは、図の右側から、第１シリンダＣ１、第２シリンダＣ２、第３シリンダＣ３、第４シリンダＣ４の順に並んでいる。クランク室も同様に図の右側から、第１クランク室Ｒ１、第２クランク室Ｒ２、第３クランク室Ｒ３、第４クランク室Ｒ４の順に並んでいる。これらの図は、シリンダヘッドカバー23を除去して示してある。シリンダヘッド22の上面に点火プラグ挿入孔61が設けてある（図４）。また、図４には、吸気カム軸37の中心線37ｃと排気カム軸38の中心線38ｃが示してある。シリンダヘッド22の前面に排気ポート29の外側開口が設けてある。この部分に排気管46（図２）が取付けられる。下部クランクケース11Ｂの前面にオイルフィルタ取付け部62Ａと、水冷式オイルクーラ（図示なし）の取付け部62Ｂが設けてある。下部クランクケース11Ｂの下部にオイルパン48が設けてある。上部及び下部クランクケース11Ａ、11Ｂの間のクランク軸12の左側突出部に交流発電機取付け部63（図５）が設けてある。
【００２９】
第１クランク室Ｒ１と第２クランク室Ｒ２とはピストン位置の位相差は１８０度であり、一方のクランク室58が加圧状態にある時は、他方のクランク室58は減圧状態にある。第３クランク室Ｒ３と第４クランク室Ｒ４との間の関係も同様である。この圧力の増減はピストン26の移動の抵抗となり、動力損失となる。
【００３０】
この圧力増減によるピストン移動の抵抗を解消するための手段として、図４、図５において、第１クランク室Ｒ１と第２クランク室Ｒ２との間、及び第３クランク室Ｒ３と第４クランク室Ｒ４との間に、蓋部材66で覆われて形成される連通流路67が設けてある。図４、図５において、第１シリンダＣ１と第２シリンダＣ２の前面には蓋部材66で覆われた第１連通流路67Ａが示してあり、第３シリンダＣ３と第４シリンダＣ４の前面には、蓋部材66を除去して露出した状態の第２連通流路67Ｂが示してある。第２連通流路67Ｂには、第３クランク室Ｒ３から通じる連通孔68、及び第４クランク室Ｒ４から通じる連通孔68が示してある。図では蓋部材66で覆われていて見えないが、第１クランク室Ｒ１と第２クランク室Ｒ２にも、第１連通流路67Ａに連通する上記と同様の連通孔68が設けてある。蓋部材66、連通流路67、及び連通孔68の縦断面は図２に示されている。
【００３１】
上記の連通流路67と連通孔68によって、第１クランク室Ｒ１と第２クランク室Ｒ２における一方のクランク室の増加圧力は、他方の減圧したクランク室へ開放され、第３クランク室Ｒ３と第４クランク室Ｒ４における一方のクランク室の増加圧力は、他方の減圧したクランク室へ開放されるので、クランク室58の圧力の増減によるピストン26の移動の抵抗、即ち動力損失が解消される。
【００３２】
図６は、連通流路67付近の縦断面の拡大図である。上記連通流路67は、図に示されるように、上部クランクケース11Ａと下部クランクケース11Ｂの接合面76を跨いで設けてある。上記連通孔68は上部クランクケース11Ａに設けてあるが、この連通孔68は、下部クランクケース11Ｂに設けてあっても良い。連通流路67を上下のクランクケース11Ａ、11Ｂにまたがって配置することによって、何れか一方のみに配置した場合に比べて、配置スペースを分担させてレイアウトできるから、上下のクランクケース11Ａ、11Ｂの高さをそれぞれ低くすることができ、内燃機関を小型化することができる。
【００３３】
第１、第２連通流路67Ａ、67Ｂは、いずれも前面視で、連通孔68を覆うように椀状に形成され、連通流路67の空間を、蓋部材66の内面及びクランクケース11の前面とによって構成してある。連通孔68を覆う椀状の蓋部材66をクランクケース11の前面に取付けることにより、クランクケース11の一部を利用して連通流路67を構成するので、簡単な部材で連通流路を構成することができる。
【００３４】
前から見て、蓋部材66と重なる上部、下部クランクケース11Ａ、11Ｂの前面を窪ませて凹部69が設けられている（図６）。これによって、蓋部材66の大きさ及び深さを大にすることなく、クランクケース11側を窪ませるだけで連通流路67の空間を大きくすることができ、連通流路67の外形の大型化を抑制することができる。なお、凹部69は上部、下部クランクケース11Ａ、11Ｂの一方の前面に設けてあっても良い。
【００３５】
蓋部材66は、その上下で、ボルト70（図４、図５）を介して上部、下部クランクケース11Ａ、11Ｂにそれぞれ固定してある。クランクケース11の上下にまたがって、それぞれ蓋部材66を固定することにより、上下のクランクケース11Ａ、11Ｂの結合強度を高めることができる。
【００３６】
図６において、連通流路67からのオイルの漏れを防ぐために、蓋部材66のクランクケース11への当接面に溝71を形成してシール部材72を配置し、上部及び下部クランクケース11Ａ、11Ｂ側の当接面を平坦面に形成してある。クランクケース側に上下クランクケースに跨ってシール溝を形成する場合に比べて、蓋部材66側にシール溝71を形成ことにより、溝71が容易に形成でき、更に形状の調整を容易に行うことが出来る。
【００３７】
連通流路67にはドレーンが溜まりやすい。これはシリンダ20から洩れた燃焼気体と、ミスト状の潤滑オイルの混合物が、冷却されて液化したものや、クランクウエイトが掻き揚げたオイルが連通流路に入ったものである。このドレーンを排出するために、図４、図６に示されるように、連通流路67の内部にドレーンとなったオイルを排出するドレーン孔73が設けられ、このドレーン孔73からドレーン通路74（図２〜図６）を経てオイルを排出するようになっている。
【００３８】
上記ドレーン通路74は、下部クランクケース11Ｂに設けられたオイルパン48（図２）へオイルを排出するように形成されている。これによって、連通流路67に溜まったオイルを排出し、オイルパン48に回収することができる。
【００３９】
上記連通流路67は、クランクケース11に設けられた連通孔68を取り囲む椀状の蓋部材66をクランクケース11に固定することによって構成され、図６に見られるように、この蓋部材66の底面66ａはドレーン孔73に向かう下り傾斜に形成されている。これによって、蓋部材66の内部に飛散したオイルをドレーン孔73に集めることができるので、回収効率を高めることができる。上記蓋部材66の底面66ａは上下クランクケース11Ａ、11Ｂの接合面76と平行な面Ｓに対して２０度の後下がりの角度を持っている。この内燃機関１は車両に搭載される時には、接合面76を１０度の前下がりにして搭載される。従って、上記蓋部材66の底面は水平面に対して、なお１０度の後下がり角を保っているので、オイルをドレーン孔73に集めることができる。
【００４０】
図４において、ドレーン孔73は、それぞれの連通流路67の車幅方向外側寄りに配置されている。これは、左右にバンクする自動二輪車２においては、遠心力によってドレーンは幅方向外側に溜まり易いからで、車幅方向外側寄りにドレーン孔73を設けることによって、オイルを効率良く回収することができるからである。
【００４１】
シリンダヘッド22及び動弁装置34等を潤滑したオイルは、図４〜図６に示されるように、上部クランクケース11Ａに設けられた動弁系オイル戻し通路77と連通流路67に設けられた戻りオイル導入口78を経て連通流路67内に戻るようになっている。このようにして戻ったオイルは、先に述べたドレーンと共に、ドレーン孔73及びドレーン通路74を経てオイルパン48に回収される。
【００４２】
上記戻りオイル導入口78は、ドレーン孔73に対して車幅方向にずらして、車幅方向内側寄りに配置してある（図４、図５）。これは、内側から導入されたオイルを遠心力によって、外側のドレーン孔73に向かって流すようにしたためであり、戻りオイル導入口78とドレーン孔73とをずらさないで、外側で一致させた場合に比べてオイルの滞留を防ぐことができるからである。
【００４３】
図２に示されるように、上記内燃機関１は、シリンダヘッド22からシリンダブロック21の前下方に湾曲した後に車両後方に伸びる排気管46を備えている。上記連通流路67は、クランクケース11前面と排気管46とで挟まれる領域に配置されている。従って、排気管46との干渉を抑制しながら、空きスペースを有効利用して、効果的に連通流路67が配置されている。
【００４４】
図２に示されるシリンダ20の中心線Ｃは、上下クランクケース11Ａ、11Ｂの接合面76に対する垂直線Ｖに対して３０度前傾しているが、この内燃機関１は車両に搭載される時は、クランクケース11の接合面76を１０度前下がりにして搭載されるので、シリンダ20は、車両搭載時には、地面に対する鉛直線に対して４０度前傾し、連通流路67の上方を十分に覆った状態になる。これによって、連通流路67はシリンダブロック21とクランクケース11の前面と排気管46とで囲まれる領域で、排気管46との干渉を避けて、上方を安全に保護される（図１）。
【００４５】
図２に示されるように、連通流路67の下方に位置する下部クランクケース11Ｂの前面にオイルフィルタ49が配置されている。オイルフィルタ49は、図４、図５のオイルフィルタ取付け部62Ａに取付けられる。水冷式オイルクーラ取付け部62Ｂには水冷式オイルクーラ（図示なし）が取付けられる。連通流路67は、オイルフィルタ49やオイルクーラの上方において、これらのものとの干渉を防止しながら空きスペースを有効利用して配置されている。
【００４６】
図７はクランクケース11とシリンダブロック21の正面図である。１列に並んでいるシリンダＣ１〜Ｃ４の両側において、スタッドボルトによって、下部クランクケース11Ｂと上部クランクケース11Ａとシリンダブロック21とシリンダヘッド22とが結合される。図において、シリンダブロック21の上面にスタッドボルト挿入孔79が見えている。シリンダブロック21とクランクケース11には上記挿入孔79を取り囲むスタッドボルト挿入ボス80が設けてある。図に示されるように、連通流路67につながる連通孔68は、クランクケース11の前面において、隣り合うスタッドボルト挿入ボス80の間に配置してある。連通孔68はスタッドボルト挿入ボス80を避けて配置してあるので、連通孔68によるスタッドボルト挿入ボス80の強度低下を防ぐことができる。
【００４７】
上記内燃機関１は、並列４気筒内燃機関であって、個々の排気ポート29に連結された排気管46は、図１に示されるように、内燃機関の下方を経由して後方に伸びて、その後１本に集合して、車両後部のマフラー47に接続されている。正面から見ると、内燃機関の左右に一対で構成されている連通流路67（図４）は、それぞれ隣り合う排気管46の後方に設けられている。このように、連通流路67は、前方から複数の排気管46にて覆われているので、保護されると共に、排気管46により外部からは目立ちにくくなっている。
【００４８】
実施形態の効果のまとめ：以上詳述したように、本実施形態においては、次の効果がもたらされる。
（１）連通流路の内部にオイルを排出するドレーン孔とドレーン通路が設けてあるので、連通流路に侵入したオイルを排出することができる。
（２）上記ドレーン通路は、クランクケースに設けられたオイルパン側にオイルを排出するように形成されているので、侵入したオイルをオイルパンに回収することができる。
（３）上記連通流路は、クランク室と連通流路を連通するようクランクケースに設けられた連通孔を取り囲む椀状の蓋部材をクランクケースに固定して構成され、この蓋部材の底面をドレーン孔に向かう下り傾斜に形成してあるので、蓋部材の内部に飛散したオイルをドレーン孔に集めることができ、回収効率を高めることができる。
（４）シリンダヘッド及び動弁系を潤滑したオイルの戻し通路を上記連通流路に接続したので、これらのオイルをまとめてオイルパンに回収することができる。
（５）ドレーン孔が幅方向外側寄りに配置されるので、左右にバンクする自動二輪車において、遠心力によって幅方向外側に溜まりやすいオイルを効率良く回収することができる。
（６）戻りオイルの導入孔を、ドレーン孔に対して車幅方向にずらして、車幅方向内側寄りに配置したので、内側から導入されたオイルを遠心力によって、外側のドレーン孔に向かって流すので、オイルの滞留を防ぐことができる。
【符号の説明】
【００４９】
11…クランクケース、11Ａ…上部クランクケース、11Ｂ…下部クランクケース、20…シリンダ、21…シリンダブロック、22…シリンダヘッド、34…動弁装置、46…排気管、48…オイルパン、49…オイルフィルタ、58…クランク室、66…蓋部材、66ａ…蓋部材の底面、67…連通流路、68…連通孔、69…凹部、71…溝、72…シール部材、73…ドレーン孔、74…ドレーン通路、76…接合面、77…動弁系オイル戻し通路、78…戻りオイル導入口、80…スタッドボルト挿入ボス、Ｃ１〜Ｃ４…第１〜第４シリンダ、Ｒ１〜Ｒ４…第１〜第４クランク室
【図１】
2010174777.tif 000003
【図２】
2010174777.tif 000004
【図３】
2010174777.tif 000005
【図４】
2010174777.tif 000006
【図５】
2010174777.tif 000007
【図６】
2010174777.tif 000008
【図７】
2010174777.tif 000009